(57)【要約】      （修正有）【課題】容器蓋開栓時に、確実に、タンパーエビデントバンドの破断後に、キャップ内のインナーリングのシールが解除されるようにしたタンパーエビデント機能を確実に発揮し得るボトルのノズル構造を提供する。【解決手段】プラスチック製のボトルのノズルに、タンパーエビデント特性を有し、インナーリングでノズル内周面をシールする容器蓋を螺合した組み合わせにおいて、ノズル外周面の雄螺条のネジ切り開始位置が、少なくとも上記ノズル内周面におけるインナーリングのシールポイント位置より下に形成されることを特徴とするボトルのノズル構造。上記ネジ切り開始位置とインナーリングのシールポイントの距離が、０．４ｍｍ≦△ｈ≦２．０ｍｍであることが好ましい。【選択図】図４
2004352360.tif 000002
【特許請求の範囲】
【請求項１】
筒状のノズルを有し、該ノズル外周面に雄螺条が形成されたボトルと、天面壁及び該天
面壁周縁から垂下する円筒状のスカート壁を有し、該スカート壁は、下方の周方向へ形成
された弱化ラインよりも上方の主部と、該弱化ラインよりも下方のタンパーエビデント裾
部とからなり、該スカート壁の主部内周面には、容器ノズルの外周面に形成された該雄螺
条に螺合する雌螺条が形成されており、少なくとも該天面壁から垂下し容器ノズルの内周
面を環状にシールするインナーリングを備えた容器蓋からなる組み合わせにおいて、上記
ノズル内周面におけるインナーリングのシールポイント位置と上記ノズル外周面の雄螺条
のネジ切り開始位置との位置関係を、ノズル先端からノズル内周面におけるインナーリン
グのシールポイントまのノズル軸方向の長さをｈ１、ノズル先端からノズル外周面の雄螺
条のネジ切り開始位置におけるネジ山頂点中央までのノズル軸方向の長さをｈ２としたと
き、ｈ１＜ｈ２とすることにより、開封時に上記弱化ラインが破断した後に密封が破れる
ようにしたことを特徴とするボトルのノズル構造。
【請求項２】
開封時に、容器蓋の旋回動作を開始してから上記弱化ラインが破断するまでに、容器蓋
がノズル軸方向上方に移動する距離をＬとしたとき、Ｌ＜ｈ１である請求項１記載のボト
ルのノズル構造。
【請求項３】
上記ボトルがポリエステル樹脂製であり、ノズルが熱結晶化処理してある請求項１また
は２記載のボトルのノズル構造。
【請求項４】
上記ネジ切り開始位置とインナーリングのシールポイントとの距離（△ｈ＝ｈ２−ｈ１
）が、０．４ｍｍ≦△ｈ≦２．０ｍｍである請求項１ないし３のいずれか一項記載のボト
ルのノズル構造。
【請求項５】
上記ネジ切り開始位置が、２．７ｍｍ≦ｈ２≦４．０ｍｍである請求項１ないし４のい
ずれか一項記載のボトルのノズル構造。
【請求項６】
上記容器口部は、上記インナーリングと、ノズル外周面を環状にシールするアウターリ
ングと、ノズル先端部をシールするコンタクトリングの３点でシールされている請求項１
ないし５のいずれか一項記載のボトルのノズル構造。
【発明の詳細な説明】
【技術分野】
【０００１】
本発明は、お茶、ジュース、コーヒー、紅茶、ミネラルウォーターなどの清涼飲料等を
収容するボトルのノズルにタンパーエビデントバンドを備えた容器蓋を螺着したプラスチ
ックボトルのノズル構造に関するものであって、とくに、容器蓋の開栓時に、確実に、タ
ンパーエビデントバンドの破断後にキャップ内のインナーリングのシールが解除されるよ
うにしたタンパーエビデント機能を正常に発揮し得るボトルのノズル構造に関する。
【背景技術】
【０００２】
各種飲料あるいは液状食品を収容する容器には、販売店の店頭での陳列中のいたずらに
よる開栓事実を購入者に知らせることを目的とするタンパーエビデント特性を有するキャ
ップが多く用いられている。
係る先行技術としては例えば下記の文献を挙げることができる。
【特許文献１】特開平７−２２６３号公報
【特許文献２】特開平７−２９１３１７号公報
【０００３】
特許文献１には、タンパーエビデント機能を有するキャップと容器の組み合わせにおい
て、容器のノズル部の外周面には、特殊な形状のラチェット爪が形成されており、キャッ
プのタンパーエビデント部裾部には周方向に間隔をおいて下方に延出し、上記ラチェット
爪と協同する複数個のラチェット片が形成されている構成が開示されている。
この発明は、スカート壁に形成されている周方向弱化ラインにおけるブリッジの破断強
度を過剰に増大させることなく、女性や子供でも、容易に弱化ラインのブリッジの破断を
確実に行えるようにしたものである。
【０００４】
また、特許文献２には、同様に、タンパーエビデント機能を有するキャップと容器の組
み合わせにおいて、容器のノズル部の外周面には、雄螺条の下方において周方向に間隔を
おいて位置する複数個のラチェット爪が形成されており、このラチェット爪の各々は、閉
蓋する際の相対的回転方向に見て、後方に向かって半径方向外方にゆるやかに傾斜して伸
びる前面と急激に傾斜して延びる後面とを有し、タンパーエビデント裾部の内周面には、
周方向に間隔をおいて複数個の係止片が形成されており、この係止片の各々は、タンパー
エビデント裾部の内周面に接続された基縁から上方に向かって半径方向内方に傾斜して延
出し、ノズル部の雄螺条にキャップの雌螺条を螺合した際にキャップの係止片の各々が弾
性的に変形ないし変位せしめられてノズル部のラチェット爪の各々を周方向に通過し、次
いで弾性的に復元せしめられて周方向においてラチェット爪間に位置せしめられるように
した構成が記載されている。
【０００５】
この発明は、容器のノズルとキャップのシール構造が、タンパーエビデントの弱化ライ
ンの破断に先駆けて解除される事態を回避するためのものであり、容器のノズル部をキャ
ップによって密封した状態では、キャップのタンパーエビデント裾部に形成されている係
止片の周方向片端がノズル部に形成されているラチェット爪の急激に傾斜して延びる後面
に当接することによって、キャップの上方への移動ではなくて開栓回転方向への回転自体
が阻止され、これによって、キャップのスカート壁に形成されている周方向弱化ラインに
おけるブリッジの破断を伴うことなく、キャップを幾分か回転せしめてノズルに対するシ
ール手段の密封を解除してノズルのシール状態を毀損することを不可能にしたものである
。
【０００６】
これらの先行技術にも見られるように、このタンパーエビデント特性を有する容器壁は
、通常、円形天面壁と天面壁の周縁から垂下する略円筒状のスカート壁を具備し、スカー
ト壁下方には周方向に破断可能な弱化ラインが刻設されており、該スカート壁は、破断可
能ラインよりも上方の主部と、破断可能な弱化ラインよりも下方の裾部からなり、裾部内
面には、容器の口部のノズルの係止あご部（かぶら）に当接する上向きのフラップが形成
されている。
【０００７】
容器蓋の上方天面からは、通常、ボトルのノズル部の内面と外面を挟みつけた状態でシ
ールする２つの環状のリング（インナーリング・アウターリング）が垂下しており、さら
に、ボトルのノズル先端部に当接するようにコンタクトリングが形成されていることもあ
る。この場合のボトルのノズル部のシールは、主としてこのインナーリング、アウターリ
ングのシール部がボトルのノズル部に圧接されることによって行われ、コンタクトリング
がある場合は、さらにシール効果が高まるようになっている。
【０００８】
インナーリング、アウターリング、およびコンタクトリングのシール部（シールポイン
ト）は、それぞれ環状の凸部に形成され、この凸部とノズルのシール部とが圧接状態で当
接されることにより、好適なシール状態が保たれるようになっている。また、このシール
構造は、通常、インナーリングがアウターリングよりも長めに形成され、インナーリング
とノズルの当接力が最大になるように構成されている。
【０００９】
ボトルのノズルからキャップを開栓するには、キャップを開栓方向に回転することによ
りタンパーエビデント裾部内面に形成された上向きのフラップが顎部（かぶら）に当接し
、キャップの上昇が阻止されることにより、キャップの回転力がタンパーエビデントの弱
化ラインに作用し、弱化ラインが破断（ブリッジブレーク）し、キャップが上昇する。キ
ャップが上昇すると、最初にキャップのコンタクトリングが容器口部と離間し、ついでア
ウターリング、さらにインナーリングの順序でシールが解除されることになり、ボトルの
シール構造は完全に解除される。
【００１０】
したがって、ボトルの開栓は、最初に必ず弱化ラインの破断を伴うことにより、ボトル
が開栓されたか否かを弱化ラインの破断の有無によって容易に確認することができるもの
であり、これによって、いたずらによるボトルの開栓は簡単に判別されるようになってい
る。
つまり、ボトルの開栓を弱化ラインの破断によってのみ確認するためには、弱化ライン
の破断（ブリッジブレーク）がなされた後で、シールブレークがなされることが必須であ
り、この条件が満たされるかぎり、タンパーエビデント機能が完全に果たされることにな
る。
【発明の開示】
【発明が解決しようとする課題】
【００１１】
ところが、特許文献２にも見られるように、タンパーエビデント裾部に形成されている
係止片とボトル係止顎部の位置関係、成形精度、樹脂の弾性変形や係止片の滑りなどによ
り、上記弱化ラインの破断よりもノズル部のシール状態が破れるシールブレークが先に起
こる現象のあることが報告されている。タンパーエビデント裾部の弱化ラインの破断に先
駆けて、ノズル部のシール状態が毀損され、シールブレーク状態になった場合には、ボト
ルの開栓を弱化ラインの破断で確認することができるタンパーエビデント特性を果たすこ
とができないものであり、特許文献２においては、その解決方法として、キャップの上方
への移動でなくて開栓回転方向への回転自体を阻止することによって、キャップのスカー
ト壁に形成されている周方向弱化ラインにおけるブリッジの破断を伴うことなく、キャッ
プを幾分か回転せしめてノズルに対するシール手段の密封を解除してノズル部のシール状
態を毀損することを不可能にする方法を開示している。
【００１２】
本発明者らは、上記ノズル部のシール状態の毀損がどのような現象に起因するのかを度
重なる実験によって解析し、その原因を排除することで上記問題の解決を図ることに着眼
した。その結果、ノズル部のシール状態の毀損は、ノズル部の外周面に形成する雄螺条に
対応する内周面部分がヒケて、ノズル内周面の平滑度が保てなくなり、ノズル内周面のシ
ール部と当接されるインナーリングとの間のリーク角度が不安定になり、シール不良が発
生することが確認された。そしてこの傾向は、ノズル部を熱結晶化してあるポリエステル
樹脂製ボトルで著しかった。
【００１３】
そこで、本発明の目的は、ノズル部内周面のインナーリング当接部の平滑度を保持し、
ノズル内周面とインナーリング当接部のリーク角度を安定化し、ノズル部のシール状態の
毀損を防止することにより、容器蓋との組み合わせにおいて確実なタンパーエビデント性
を有するボトルのノズル構造を提供することにある。
【課題を解決するための手段】
【００１４】
本発明は、上記目的を達成するために提案されたものであり、下記の構成からなること
を特徴とする。
（１）筒状のノズルを有し、該ノズル外周面に雄螺条が形成されたボトルと、天面壁及び
該天面壁周縁から垂下する円筒状のスカート壁を有し、該スカート壁は、下方の周方向へ
形成された弱化ラインよりも上方の主部と、該弱化ラインよりも下方のタンパーエビデン
ト裾部とからなり、該スカート壁の主部内周面には、容器ノズルの外周面に形成された該
雄螺条に螺合する雌螺条が形成されており、少なくとも該天面壁から垂下し容器ノズルの
内周面を環状にシールするインナーリングを備えた容器蓋からなる組み合わせにおいて、
上記ノズル内周面におけるインナーリングのシールポイント位置と上記ノズル外周面の雄
螺条のネジ切り開始位置との位置関係を、ノズル先端からノズル内周面におけるインナー
リングのシールポイントまのノズル軸方向の長さをｈ１、ノズル先端からノズル外周面の
雄螺条のネジ切り開始位置におけるネジ山頂点中央までのノズル軸方向の長さをｈ２とし
たとき、ｈ１＜ｈ２とすることにより、開封時に上記弱化ラインが破断した後に密封が破
れるようにしたことを特徴とするボトルのノズル構造である。
（２）開封時に、容器蓋の旋回動作を開始してから上記弱化ラインが破断するまでに、容
器蓋がノズル軸方向上方に移動する距離をＬとしたとき、Ｌ＜ｈ１である前記（１）に記
載のボトルのノズル構造である。
（３）上記ボトルがポリエステル樹脂製であり、ノズルが熱結晶化処理してある前記（１
）または（２）に記載のボトルのノズル構造である。
（４）上記ネジ切り開始位置とインナーリングのシールポイントとの距離（△ｈ＝ｈ２−
ｈ１）が、０．４ｍｍ≦△ｈ≦２．０ｍｍである前記（１）ないし（３）のいずれか一項
記載のボトルのノズル構造である。
（５）上記ネジ切り開始位置が、２．７ｍｍ≦ｈ２≦４．０ｍｍである前記（１）ないし
（４）のいずれか一項記載のボトルのノズル構造である。
（６）上記容器口部は、上記インナーリングと、ノズル外周面を環状にシールするアウタ
ーリングと、ノズル先端部をシールするコンタクトリングの３点でシールされている前記
（１）ないし（５）のいずれか一項記載のボトルのノズル構造である。
【発明の効果】
【００１５】
本発明によれば、タンパーエビデント特性を有する蓋を螺合したボトルのノズル先端か
らノズル内周面におけるインナーリングのシールポイントまのノズル軸方向の長さ（ｈ１
）を、ノズル先端からノズル外周面の雄螺条のネジ切り開始位置におけるネジ山頂点中央
までのノズル軸方向の長さ（ｈ２）よりも小さくする（ｈ１＜ｈ２）ことにより、該ノズ
ル内周面とインナーリングとのシールポイント部においてネジ部内周面に発生するヒケの
影響が防止でき、当該部位のシール状態が強固に保たれ、容器蓋の開栓が弱化ラインの破
断に先駆けてシール部のブレークが起きることがなくなり、ブリッジブレークの後にシー
ルブレークがもたらされるというタンパーエビデント特性を有する容器本来の機能を確実
なものとしてタンパーエビデント容器の信頼性を高めることができる。
【発明を実施するための最良の形態】
【００１６】
以下に、図面を参照して本発明の実施の形態を説明する。
図１、２は、本発明のタンパーエビデント特性を有する容器蓋と、該容器蓋に螺合され
、不正開封の事実を弱化ラインの破断によって確認出来るようにされたボトルのノズル構
造を説明するための図であり、図１は容器蓋の一例を示し、図２はボトルのノズル構造の
一例を示すものである。
【００１７】
容器蓋1 は、天面壁１１及び該天面壁周縁から垂下する円筒状のスカート壁１２を有し
、該スカート壁１２は、下方の周方向へ形成された弱化ライン１３よりも上方の主部１４
と、該弱化ライン１３よりも下方のタンパーエビデント裾部１５とからなっている。該ス
カート壁１２の主部１４内周面には、容器ノズルの外周面に形成された雄螺条に螺合する
雌螺条１６が形成されており、さらに、少なくとも該天面壁１１内面から垂下し容器ノズ
ルの内周面２４を環状にシールするインナーリング１７を備えている。
【００１８】
インナーリング１７は、ノズルに容器蓋が螺合された際、アウターリング１８と協同し
てボトルのノズル先端を挟み込んだ状態でノズル壁内外周面を環状にシールするものであ
り、インナーリング１７もアウターリング１８も、ノズル壁面との当接部、つまりシール
部は、環状の凸部( シールポイント) １７ａ，１８ａとして形成されていることが好まし
い。また、インナーリング１７とアウターリング１８の間の天面壁部分にコンタクトリン
グ１９が凸設されていることにより、ノズルの先端部をもシールすることができ、シール
強度がよりすぐれたものになる。
【００１９】
容器蓋１の下方の周方向に刻設される弱化ライン１３は、容器蓋の開栓時に主部１４と
タンパーエビデント裾部１５に分離するためのものであり、主部１４とタンパーエビデン
ト裾部１５は弱化ラインが刻設された内周面に橋架け状態で形成されているブリッジ１３
ａによって連接されている。
上記容器蓋が螺合されるノズル２は、ノズルの外周面に雄螺条２１が形成されており、
この雄螺条２１と容器蓋内周面に形成されて雌螺条１６が螺合し、これに伴ってインナー
リング、アウターリング、及びコンタクトリングがノズル先端部及びノズル壁内外周面と
当接することによって容器は完全に密封状態となる。
【００２０】
本発明においては、容器蓋１と容器ノズルの内周面２４とで形成されるシールポイント
１７ａが、ノズル外周面の雄螺条２１のネジ切り開始位置より上のノズル先端側に位置す
ることが重要である。後述するように、ノズル外周面に螺条が存在すると、対応するノズ
ル内周面にヒケ( 微小な凹み) が存在する場合があり、その位置にシールポイントがきた
場合に密封が破れリークが発生しやすくなる。しかし本発明のようにシールポイントがノ
ズル外周面のネジ切り開始位置より上にあると、開栓時に容器蓋を旋回してもシールポイ
ントがヒケの部分に位置することがなくノズル内周面が平滑なので、シールポイントがノ
ズル先端部近くに達するまで密封が保たれるのである。
【００２１】
本発明の容器と蓋は、いずれもそれ自体公知のプラスチックで成形されており、通常、
ポリエチレンテレフタレートなどのポリエステル樹脂や、高密度ポリエチレンやポリプロ
ピレンなどの熱可塑性樹脂が用いられる。
ノズル部の下方には、顎（かぶら）２２と、その下方に位置する環状フランジ２３が形
成されている。
タンパーエビデント裾部の内面には、ノズルの下方に形成される顎部（かぶら）２２の
下部に当接される上向きのフラップ１５ａが形成されている。このフラップは、蓋の成形
時には下向きに一体成形されているが、容器への蓋の螺合時に上向きの状態にして組み立
てられる。容器蓋がタンパーエビデント機能を確実に果たすためには、ノズル２に容器蓋
１を螺合したときに、上記フラップ１５ａがノズルのかぶらの下部に位置するように嵌合
することが重要であり、この嵌合状態が保持されている限り、容器口部の密封状態が毀損
することはなく、開封に際しては、弱化ラインが真っ先に破断することになり、不正防止
機能が達成できる。
【００２２】
容器蓋の開栓に当たっては、容器蓋を開栓方向に回転させれば、螺条の係合により容器
蓋は回転しながら上昇するが、すぐにタンパーエビデント裾部のフラップ１５ａがノズル
下方のかぶら２２の下部に当接し、容器蓋はそれ以上に上昇することは出来なくなり、容
器蓋の回転力は、弱化ライン１３のブリッジ１３ａを破断する力となって作用する。弱化
ラインのブリッジが破断する、つまりブリッジブレークすれば容器蓋の主部１４は回転し
ながら上昇することになり、これによって、まず、コンタクトリングが容器口部と離間し
、ついで、ブリッジブレークとアウターリングのシールブレークが起こり、最後にインナ
ーリングのシール部がシールブレークすることによって容器の密封状態が解除される。
【００２３】
つまり、容器蓋の開栓は、蓋の開栓方向への回転により、先ずブリッジブレークが起こ
り、ついで、シールブレークに至る状態が、タンパーエビデント特性を正常に利用した形
態であるといえる。
本発明においては、ノズル先端からシールポイントまでの長さ（ｈ１）を、容器蓋が開
封時に旋回動作を開始してから弱化ラインが破断するまでにノズル軸方向上方に移動する
距離（Ｌ）よりも、大きくすることが好ましい。これにより、開封時にブリッジブレーク
がシールブレークよりも早く起きることが、より確実になる。Ｌの値は、通常、１．０ｍ
ｍ≦Ｌ≦２．０ｍｍ程度である。
【００２４】
図３は、ノズル外周面の雄螺条のネジ切り開始位置がノズル内周面におけるインナーリ
ングのシールポイント位置よりも上に形成されている従来のタンパーエビデント特性を有
する容器の例ではあるが、密封状態からブリッジブレークを経てシールブレークに至る状
況を断面図で示したものであり、（Ａ）は密封状態、（Ｂ）はブリッジブレーク状態、（
Ｃ）はシールブレーク状態を示している。
【００２５】
図３からも分かるように、密封状態（Ａ）では、容器蓋の雌螺条１６の上方がノズルの
雄螺条２１の下方に当接すると共に、インナーリング１７、アウターリング１８ならびに
コンタクトリング１９は、ノズルの先端部の内周面、外周面ならびに先端部分をいずれも
しっかりとシールしている。
また、タンパーエビデント裾部１５内周面に形成されている上向きのフラップ１５ａが
、ノズルのかぶら２２下部に位置していることが分かる。
【００２６】
次いで、容器蓋を開栓方向に回転させると、（Ｂ）に示したように、すぐに、タンパー
エビデント内周面のフラップ１５ａは、ノズルのかぶら２２の下部に当接されるため、回
転力を継続することによって、弱化ライン１３のブリッジ１３ａが破断すれば、容器蓋１
は回転しながら上昇し、（Ｃ）に示すように、アウターリング１８、コンタクトリング１
９、さらにインナーリング１７のシール状態をブレークし、容器の密封状態が解除される
ことになる。
【００２７】
ところで、特許文献２にも記載されているように、タンパーエビデント裾部に形成され
た係止フラップの弾性的変形、高温環境に置かれた場合の内圧の異常な高まり、あるいは
輸送中の衝撃などによって、上記弱化ラインの破断よりも先にノズル部のシール状態が破
れてリークの発生することが指摘されている。
本発明者らは、このリークの発生が何ゆえに起こるかを徹底的に実験を重ねながら解析
した結果、ノズル内壁２４とインナーリング１７が当接するポイント１７ａの部分に、ノ
ズル外周面に形成した雄螺条の影響でその内周面にヒケが起きており、そのヒケの部分に
当接するインナーリングのシールポイント１７ａとのシール状態が毀損されることにより
リークの発生がもたらされていることを突き止めた。このヒケは、例えば飲料用のポリエ
ステル製ボトルの場合、ノズルの熱結晶化工程で発生しやすい。
【００２８】
図５に、インナーリングのシールポイントがノズル内周面のヒケによってリーク状態に
なる様子を模式的に示した。
本発明者らは、ノズル内周面２４のインナーリング１７との当接ポイントにネジ部内周
面に発生するヒケの影響がでないようにする方法について実験を重ねたところ、ノズル外
周面の雄螺条２１のネジ切り開始位置が、上記ノズル内周面２４におけるインナーリング
のシールポイント位置より下に設定することにより、インナーリングのシールポイント部
分のヒケが防止できることが確認された。
【００２９】
ところが従来、一般にボトルのノズルは、ネジ切り開始位置がシールポイントよりも若
干上に設定されており、これが標準的なものとして扱われてきているため、ノズルの外周
面の雄螺条のネジ切り位置を変更するという発想は従来の技術常識を転換するものである
。
【００３０】
本発明者らの実験によれば、雄螺条のネジ切り開始位置とインナーリングのシールポイ
ントとの距離（△ｈ）が、０．４ｍｍ≦△ｈ≦２．０ｍｍである時に、ノズル内周面２４
インナーリングのシールポイントにおけてネジ部内周面に発生するヒケの影響を防止でき
ることが確認された。
図４に、本発明におけるシールポイントと雄螺上のネジ切り開始位置との関係を示した
。雄螺条のネジ切り開始位置とインナーリングのシールポイントとの距離（△ｈ）は、ノ
ズル先端からネジ切り開始位置までのノズル軸方向の長さ（ｈ２）から、ノズル先端から
シールポイント位置までのノズル軸方向の長さ（ｈ１）をマイナスした値と定義される。
本発明においては、この△ｈの値が０．４ｍｍ≦△ｈ≦２．０ｍｍであることが好ましい
。△ｈが０．４ｍｍ未満だとノズル内周面のシールポイントが内周面のノズル内周面の平
滑でない部分にくることになり、漏れが発生しやすい。また、開栓時に密封が破れるまで
に容器蓋が旋回する角度（リーク角度）が安定せず、ブッリジブレークよりもシールブレ
ークが先に起こる虞が高くなる。一方、△ｈが２．０ｍｍよりも大きいと、性能は変わら
ずにノズルハイト、キャップハイトが高くなるため、材料が多く必要となりコストアップ
となる。したがって△ｈの範囲の上限は、１．０ｍｍ以下がより好ましい。
【００３１】
また、本発明者らの実験によれば、本発明の上記ネジ切り開始位置は、２．７ｍｍ≦ｈ
２≦４．０ｍｍの間に設定されることが好ましい。ｈ２が２．７ｍｍ未満だと、ノズル内
周面のヒケの影響から開栓時のリーク角度が安定せず、ブリッジブレーク前にリークが起
きやすい。また、ｈ２が４．０ｍｍよりも大きいとノズルハイト、キャップハイトが不要
に高くなり、コストアップとなる。したがってｈ２の範囲の上限は、３ｍｍ以下がより好
ましい。
【実施例】
【００３２】
ノズル呼び口径３８ｍｍのポリエチレンテレフタレート製の飲料用耐熱ボトル（容量３
５０ｍｌ）と図１形状のポリプロピレン製タンパーエビデント・キャップの組み合わせに
おいて、ノズル形状（ｈ１，ｈ２）を変えて、開栓時のタンパーエビデント性を試験した
。ブリッジブレークの後、シールブレークが起きたものの割合を表１に示す。なお、用い
たキャップのブリッジブレークに必要なブリッジ部の伸び量は平均１．３ｍｍ（１．０〜
２．０ｍｍ）で、キャップの旋回動作を開始してから弱化ラインが破断するまでにキャッ
プがノズル軸方向上方に移動する距離Ｌは、約１．５ｍｍであった。８５℃の熱水を充填
しキャッピングしたのちシャワーにて冷却後、常温にて開栓を行った。結果を表１に示す
。
【００３３】
【表１】
2004352360.tif 000003
【００３４】
表１の結果から、ｈ１＜ｈ２である実施例１〜３は、全てブリッジブレークしてからシ
ールブレークが起きており確実なタンパーエビデント特性が得られることがわかる。一方
ｈ１＝ｈ２である比較例２では、全てブリッジブレークよりもシールブレークが先に起こ
った。さらに△ｈ＝０．３ｍｍの比較例１でも十分なタンパーエビデント性は得られなか
った。
【図面の簡単な説明】
【００３５】
【図１】タンパーエビデント特性を有する容器蓋の部分断面図である。
【図２】図１の容器蓋を螺合するボトルのノズル部の部分断面図である。
【図３】タンパーエビデント特性が正常に履行される状態を（Ａ）ないし（Ｃ）で示した断面図である。
【図４】本発明におけるネジ切り開始位置を説明するための部分断面図である。
【図５】ノズル内周面のシール部分がヒケ、リークが発生した状態を示す模式図である。
【符号の説明】
【００３６】
１    容器蓋
２    ノズル
１１    容器蓋天面壁
１２    スカート壁
１３    弱化ライン
１４    ブリッジ
１５    容器蓋主部
１５ａ  タンパーエビデント裾部
１６    雌螺条
１７    インナーリング
１７ａ  インナーリングシールポイント
１８    アウターリング
１８ａ  アウターリングシールポイント
１９    コンタクトリング
２１    雄螺条
２２    かぶら
２３    環状フランジ
２４    ノズル内周面
【図１】
2004352360.tif 000004
【図２】
2004352360.tif 000005
【図３】
2004352360.tif 000006
【図４】
2004352360.tif 000007
【図５】
2004352360.tif 000008